(57)【要約】【課題】  巻線の引き出し部分で発生する直流抵抗を低く抑えることができ、かつ、小型化が可能なコモンモードチョークコイルを提供する。【解決手段】  コモンモードチョークコイル１は、コア１０と、巻線３０と、端子電極４０とを備える。コア１０は、巻線３０が巻回された第１，２の巻芯部１１，１２と、これらを連結する一対の鍔部１５とを有する。各鍔部１５の第１の側面１６には、巻線３０と継線される第１の電極部分４１が設けられる。Ｚ軸方向において、第１の側面１６は、第１，２の巻芯部１１，１２の上面よりも低い位置にある。第１の電極部分４１と巻線３０との継線は半田付けにより行われ、Ｚ軸方向において、鍔部１５の第２の側面１７と半田付け後の第１の電極部分４１との間の距離は、鍔部１５の第２の側面１７と第１，第２の巻芯部１１，１２に巻回された巻線３０との間の距離に略一致する。【選択図】  図７
2006173201.tif 000002
【特許請求の範囲】
【請求項１】
並列配置された複数の巻芯部と、前記複数の巻芯部を連結するように当該巻芯部の両端に位置する一対の鍔部とを有するコアと、
前記巻芯部にそれぞれ巻回された複数の巻線と、
前記各巻芯部に対応して前記各鍔部それぞれに複数設けられた端子電極と、を備えており、
前記鍔部は、前記巻芯部の軸方向及び配列方向に垂直な方向に対向する第１及び第２の側面を有し、
前記各端子電極は、前記巻線が継線されると共に前記第１の側面に位置する第１の電極部分と、当該接続部分と電気的に接続されると共に前記第２の側面に位置する第２の電極部分と、を有し、
前記巻芯部の軸方向及び配列方向に垂直な方向において、前記第２の側面を含む平面から前記第１の側面までの距離が、前記第２の側面を含む平面から前記巻芯部の当該平面から最も離れた部分までの距離よりも短く、かつ、前記第２の側面を含む平面から前記巻芯部の当該平面に最も近い部分までの距離が、前記巻線の直径よりも大きいことを特徴とするコモンモードチョークコイル。
【請求項２】
前記巻芯部において、前記平面から最も離れた部分を含む面及び前記平面に最も近い部分を含む面が、当該巻芯部の軸から前記巻芯部の軸方向及び配列方向に垂直な方向に向かって凸となる略円弧状の柱面であることを特徴とする請求項１記載のコモンモードチョークコイル。
【請求項３】
前記コアを覆う樹脂製のカバーを更に備え、
前記カバーは、前記第１の側面に対峙すると共に前記一対の鍔部にわたって伸びる平板状の蓋部と、当該蓋部から前記鍔部を挟むように前記第２の側面側に向かって伸びる脚部と、を有しており、
前記脚部には、前記鍔部に係合して当該鍔部と前記カバーとを係止するための係止爪が設けられていることを特徴とする請求項２記載のコモンモードチョークコイル。
【請求項４】
前記脚部は、前記一対の鍔部それぞれを挟むように二対設けられていることを特徴とする請求項３記載のコモンモードチョークコイル。
【請求項５】
前記鍔部は、前記巻芯部の配列方向に対向する前記各鍔部の第３及び第４の側面を更に有しており、
前記各脚部は、前記第３及び第４の側面に沿ってそれぞれ伸びていることを特徴とする請求項４記載のコモンモードチョークコイル。
【請求項６】
前記カバーは、前記二対の脚部のうち、前記巻芯部の軸方向に離れた２つの脚部間に渡るように前記巻芯部の軸方向に伸びる一対の側壁部を更に有しており、
前記各側壁部の縁は、前記巻芯部の軸方向及び配列方向に対して垂直な方向に見た場合に、前記巻芯部の配列方向における前記巻線の最外位置よりも前記蓋部側に設けられていることを特徴とする請求項４又は５記載のコモンモードチョークコイル。
【請求項７】
前記カバーは、前記巻芯部の軸方向に沿って前記複数の巻芯部のうち隣り合う巻芯部間に設けられた板状の仕切り部を更に有していることを特徴とする請求項３〜６のいずれか一項記載のコモンモードチョークコイル。
【請求項８】
前記鍔部には、前記巻芯部の軸方向にある前記仕切り部の端が入る溝部が設けられており、前記溝部は、前記巻芯部の配列方向において前記仕切り部と対峙する面を有していることを特徴とする請求項７記載のコモンモードチョークコイル。
【発明の詳細な説明】
【技術分野】
【０００１】
本発明は、コモンモードチョークコイルに関するものである。
【背景技術】
【０００２】
従来のコモンモードチョークコイルの一種として、例えば特許文献１に記載されているように、上面開口の箱型絶縁容器と、ロ字形コアを有するコイル素子とを備えたものが知られている。このコモンモードチョークコイルでは、絶縁容器にコイル素子を収納している。また、絶縁容器の側壁をピン端子が上下に貫いている。ピン端子の突出した上端部には、巻線の端部を保持する挟持部が形成されている。
【特許文献１】実開平５−１１４２４号公報
【発明の開示】
【発明が解決しようとする課題】
【０００３】
上述のコモンモードチョークコイルでは、上下の側壁からピン端子がそれぞれ突出しているため、外形サイズが大きくなってしまう。また、挟持部はピン端子の上端部に形成されているので、コイル素子から挟持部までの距離が長くなる可能性がある。この場合、コイル素子からの巻線の引き出し部分が長くなり、この部分で発生する直流抵抗が大きくなってしまう。
【０００４】
そこで、本発明は、巻線の引き出し部分で発生する直流抵抗を低く抑えることができ、かつ、小型化が可能なコモンモードチョークコイルを提供することを課題とする。
【課題を解決するための手段】
【０００５】
本発明に係るコモンモードチョークコイルは、並列配置された複数の巻芯部と、複数の巻芯部を連結するように当該巻芯部の両端に位置する一対の鍔部とを有するコアと、巻芯部にそれぞれ巻回された複数の巻線と、各巻芯部に対応して各鍔部それぞれに複数設けられた端子電極と、を備え、鍔部は、巻芯部の軸方向及び配列方向に垂直な方向に対向する第１及び第２の側面を有し、各端子電極は、巻線が継線されると共に第１の側面に位置する第１の電極部分と、当該接続部分と電気的に接続されると共に第２の側面に位置する第２の電極部分と、を有し、巻芯部の軸方向及び配列方向に垂直な方向において、第２の側面を含む平面から第１の側面までの距離が、第２の側面を含む平面から巻芯部の当該平面から最も離れた部分までの距離よりも短く、かつ、第２の側面を含む平面から巻芯部の当該平面に最も近い部分までの距離が、巻線の直径よりも大きいことを特徴とする。
【０００６】
本発明に係るコモンモードチョークコイルでは、第１の側面が巻芯部の上面よりも低い位置にあるので、巻芯部に巻回された巻線の高さ位置と、巻線が継線された第１の電極部分の高さ位置とをほぼ一致させることが容易となる。したがって、第１の電極部分が周囲から突出するといった事が無くなるので、コモンモードチョークコイルの外形サイズを小型化することができる。また、本発明に係るコモンモードチョークコイルでは、巻芯部の下面から第２の側面までの距離は、巻線の直径よりも大きい。すなわち、第１の電極部分が設けられた第１の側面は、巻芯部の上面と下面との間に位置することとなる。したがって、第１の電極部分に巻線を接続するとき、巻線の引き出し部分が短くて済む。よって、巻線の引き出し部分で発生する直流抵抗を低く抑えることができる。
【０００７】
また、巻芯部において、平面から最も離れた部分を含む面及び平面に最も近い部分を含む面が、当該巻芯部の軸から巻芯部の軸方向及び配列方向に垂直な方向に向かって凸となる略円弧状の柱面であることが好ましい。この場合、巻芯部の外周面のカーブを利用することで巻線の巻きつけが容易となるため、巻線の位置ズレや緩みが生じにくくなる。
【０００８】
また、コアを覆う樹脂製のカバーを更に備え、カバーは、第１の側面に対峙すると共に一対の鍔部にわたって伸びる平板状の蓋部と、当該蓋部から鍔部を挟むように第２の側面側に向かって伸びる脚部と、を有しており、脚部には、鍔部に係合して当該鍔部とカバーとを係止するための係止爪が設けられていることが好ましい。
【０００９】
このように平板状の蓋部を有するカバーを備えた場合には、例えばコモンモードチョークコイルを回路基板上に自動装着する際に、蓋部を吸着ノズルで容易に吸着することができるので、自動装着を効率よく行うことができる。また、このカバーには第２の側面側に向かって伸びる脚部も設けられており、かかる脚部には鍔部に係合される係止爪が設けられているので、接着剤を用いずとも、カバーとコアとを機械的に接続することができる。よって、接着剤を用いた場合に生じ得る悪影響（接着剤が外部環境の変化に応じて膨張収縮し、コアや巻線に対して応力がかかる等）を排除することができ、その結果、外部環境の変化による影響を受けにくくなる。また、カバーは蓋部と脚部とでコアを覆うものであって、コイル素子を収納するものではない。したがって、先に述べた従来技術が有するような側壁は不要となり、更なる小型化が可能となる。
【００１０】
また、脚部は、一対の鍔部それぞれを挟むように二対設けられていることが好ましい。この場合、各鍔部を２本の脚部で挟むこととなるため、カバーをコアに対してより確実に固定することができる。
【００１１】
また、鍔部は、巻芯部の配列方向に対向する各鍔部の第３及び第４の側面を更に有しており、各脚部は、第３及び第４の側面に沿ってそれぞれ伸びていることが好ましい。この場合、脚部が鍔部の両脇を押さえることとなるため、巻芯部の配列方向に対するカバーのずれを抑制することができる。
【００１２】
また、カバーは、二対の脚部のうち、巻芯部の軸方向に離れた２つの脚部間に渡るように巻芯部の軸方向に伸びる一対の側壁部を更に有しており、各側壁部の縁は、巻芯部の軸方向及び配列方向に対して垂直な方向に見た場合に、巻芯部の配列方向における巻線の最外位置よりも蓋部側に設けられていることが好ましい。この場合の側壁部は、巻線の最外位置よりも蓋部側に設けられるものであって、巻線の最外位置を覆うものではない。したがって、コモンモードチョークコイルの小型化を実現しつつ、最外位置よりも蓋部側にある巻線を保護することができるようになる。また、側壁部を設けることで、カバーの剛性を高めることもできる。
【００１３】
また、カバーは、巻芯部の軸方向に沿って複数の巻芯部のうち隣り合う巻芯部間に設けられた板状の仕切り部を更に有していることが好ましい。この場合、隣り合う巻芯部同士を非接触とすることができる。また、仕切り部は巻芯部の軸方向に沿って設けられているので、巻芯部の軸方向に対するカバーのずれを抑制することができる。
【００１４】
また、鍔部には、巻芯部の軸方向にある仕切り部の端が入る溝部が設けられており、溝部は、巻芯部の配列方向において仕切り部と対峙する面を有していることが好ましい。このような溝部は、カバーをコアに取り付ける際に、仕切り部を案内する案内溝として機能する。よって、カバーの取り付け作業が容易となる。また、取り付け後においては、カバーは溝部と仕切り部とで位置決めされるので、カバーの位置ずれをより確実に抑制することができる。
【発明の効果】
【００１５】
本発明によれば、巻線の引き出し部分で発生する直流抵抗を低く抑えることができ、かつ、小型化が可能なコモンモードチョークコイルを提供することができる。
【発明を実施するための最良の形態】
【００１６】
以下、添付図面を参照して、本発明の好適な実施形態について詳細に説明する。なお、説明において、同一要素又は同一機能を有する要素には、同一符号を用いることとし、重複する説明は省略する。
【００１７】
本実施形態に係るコモンモードチョークコイルは、電子機器等において電源や信号等に畳重されるコモンモードノイズ及びノーマルモードノイズを低減するためのものである。より具体的には、本実施形態に係るコモンモードチョークコイルは、カーナビゲーションといった車載用電子機器で用いられる。以下、本実施形態に係るコモンモードチョークコイル１の構成を図面を参照しつつ説明する。図１は、本実施形態に係るコモンモードチョークコイルを示す斜視図である。図２（ａ）〜（ｃ）は、本実施形態に係るコモンモードチョークコイルを示す側面図である。図３，４は、本実施形態に係るコモンモードフィルタに含まれるコアを示す斜視図である。図５（ａ）〜（ｃ）は、本実施形態に係るコモンモードフィルタに含まれるコアを示す側面図である。図６（ａ）〜（ｃ）は、本実施形態に係るコモンモードフィルタに含まれる電極を示す側面図である。図７は、本実施形態に係るコモンモードフィルタに含まれるコア、巻線、及び端子電極を示す斜視図である。図８（ａ）〜（ｃ）は、本実施形態に係るコモンモードフィルタに含まれるコア、巻線、及び端子電極を示す側面図である。図９は、本実施形態に係るコモンモードフィルタに含まれるカバーを示す斜視図である。図１０（ａ），（ｂ）は、本実施形態に係るコモンモードフィルタに含まれるカバーを示す側面図である。
【００１８】
コモンモードチョークコイル１は、図１に示されるように、コア１０と、巻線３０と、端子電極４０と、カバー６０と、を備えている。
【００１９】
コア１０は、磁性体（例えば、フェライト等）からなっている。図３に示されるように、コア１０は、第１，２の巻芯部１１，１２と一対の鍔部１５とを有している。以下、第１，２の巻芯部１１，１２の軸方向をＸ軸方向、第１，２の巻芯部１１，１２の配列方向をＹ軸方向、Ｘ軸方向及びＹ軸方向に直交する方向をＺ軸方向と定義して説明する。
【００２０】
第１，２の巻芯部１１，１２は、互いに並列に配置されていると共に、略柱形状を呈している。図４にも示されるように、第１，２の巻芯部１１，１２は、Ｚ軸方向に対向する上面１３及び下面１４を有している。上面１３は、第１，２の巻芯部１１，１２の軸からＺ軸上方向に向かって凸となる略円弧状となっている。下面１４は、第１，２の巻芯部１１，１２の軸からＺ軸下方向に向かって凸となる略円弧状となっている。
【００２１】
図３に示されるように、Ｘ軸方向における両端には、一対の鍔部１５が設けられている。鍔部１５は、第１，２の巻芯部１１，１２と一体的に形成される。
【００２２】
図４及び図５（ａ）〜（ｃ）にも示されるように、鍔部１５は略直方体形状を呈しており、第１〜６の側面１６〜２１を有している。第１の側面１６と第２の側面１７とは、Ｚ軸方向において互いに対向している。鍔部１５の第３の側面１８と第４の側面１９とは、Ｙ軸方向において互いに対向している。また、第５の側面２０と第６の側面２１とは、Ｘ軸方向において互いに対向している。
【００２３】
第１の側面１６は、後述するカバー６０と対峙する面である。図３に示されるように、第１の側面１６には、凹部２２が２つ設けられている。凹部２２は、Ｙ軸方向において、第１，２の巻芯部１１，１２と対応する位置に形成される。凹部２２の開口端は、第１の側面１６におけるＸ軸方向での途中位置から、第５の側面２０の第１の側面１６側の端まで至っている。凹部２２は、後述する第１の電極部分４１が有する凸部４４をガイドする役割を果たす。
【００２４】
第２の側面１７は、コモンモードチョークコイル１を回路基板（図示せず）に実装する場合に、当該回路基板に対向する面（実装面）である。図４及び図５（ｃ）に示されるように、第２の側面１７には、凹部２３が２つ設けられている。凹部２３は、Ｙ軸方向において、第１，２の巻芯部１１，１２と対応する位置に形成される。凹部２３の開口端は、第２の側面１７におけるＸ軸方向での途中位置から、第５の側面２０の第２の側面１７側の端まで至っている。凹部２３は、後述する第２の電極部分４２に設けられた凸部４５をガイドする役割を果たす。
【００２５】
第６の側面２１は、第１，２の巻芯部１１，１２が形成される面である。図３及び図５（ｂ）に示されるように、Ｚ軸方向において、第１，２の巻芯部１１，１２の上面１３は、第１の側面１６よりも高くなっている。また、図８（ｂ）に示されるように、第１，２の巻芯部１１，１２の下面１４と第２の側面１７との間の距離は、後述する巻線３０の直径よりも大きくなっている。また、図３に示されるように、第６の側面２１には溝部２４が形成されている。溝部２４は、Ｙ軸方向において第１の巻芯部１１と第２の巻芯部１２との間に設けられ、かつ、Ｚ軸方向において第１の側面１６側の端から第２の側面１７側の端に渡るように設けられる。図５（ａ）に示されるように、溝部２４は底面２５を有している。この底面２５は、後述するカバー６０が有する仕切り部７８の、第２の側面８０と対峙する。
【００２６】
図３に示されるように、第１の側面１６と第３の側面１８との間、及び第１の側面１６と第４の側面１９との間には、ガイド部２６がそれぞれ形成されている。ガイド部２６は、後述するカバー６０をコア１０に取り付ける際に、カバー６０の有する係止爪６８を鍔部１５の第２の側面１７側にガイドする役割を担う。ガイド部２６は、第１の平面２６ａ及び傾斜面２６ｂを有している。第１の平面２６ａは、第１の側面１６と第３の側面１８との間、及び第１の側面１６と第４の側面１９との間に位置している。傾斜面２６ｂは、第１の側面１６と第１の平面２６ａとの間に位置しており、第１の側面１６、傾斜面２６ｂ及び第１の平面２６ａとで段差が形成されている。
【００２７】
図４に示されるように、第２の側面１７と第３の側面１８との間、及び第２の側面１７と第４の側面１９との間には、係止受け部２７がそれぞれ形成されている。係止受け部２７は、第２の平面２７ａ及び傾斜面２７ｂを有している。第２の平面２７ａは、第２の側面１７と第３の側面１８との間、及び第２の側面１７と第４の側面１９との間に位置している。傾斜面２７ｂは第２の側面１７と第２の平面２７ａとの間に位置しており、第１の側面１６、傾斜面２７ｂ及び第２の平面２７ａとで段差が形成されている。
【００２８】
図７に示されるように、第１，第２の巻芯部１１，１２には、巻線３０がそれぞれ巻回されている。巻線３０としては、例えば、絶縁被膜銅線を用いることができる。第１，第２の巻芯部１１，１２に巻回された巻線３０は、互いに電気的に絶縁されると共に、互いに磁気結合する。
【００２９】
コア１０の各鍔部１５には、端子電極４０が２つずつ設けられている。各端子電極４０は、第１の電極部分４１と、第２の電極部分４２と、導体部分４３と、を含んでいる。第１の電極部分４１は、図８（ａ）にも示されるように、各鍔部１５の第１の側面１６にそれぞれ位置している。また、図６（ｂ）に示されるように、第１の電極部分４１のＺ軸方向における下面（第１の側面１６に対峙する面）には、凸部４４が設けられている。第２の電極部分４２は、図８（ｃ）にも示されるように、各鍔部１５の第２の側面１７にそれぞれ位置している。また、図６（ｂ）に示されるように、第２の電極部分４２のＺ軸方向における上面（第２の側面１７に対峙する面）には、凸部４５が設けられている。図６（ｃ）及び図７に示されるように、第１の電極部分４１と第２の電極部分４２とは、第５の側面２０に沿って設けられた導体部分４３を介して接続されている。第１の電極部分４１、第２の電極部分４２、及び導体部分４３は金属板を折り曲げ加工することにより形成される。
【００３０】
また、第１の電極部分４１は、第１，第２の巻芯部１１，１２に巻回された巻線３０の継線部と接続されている。第１の電極部分４１は、図６（ａ），（ｃ）に示されるように、その両端部４１ａが第１の電極部分４１の中央部４１ｂに向けてそれぞれ折り曲げられている。このような第１の電極部分４１と巻線３０との接続（継線）は、半田付けにより行われる。このとき、図８（ｂ）に示されるように、鍔部１５の第２の側面１７と半田付け部分（図８における点線部分）との間のＺ軸方向における距離Ｌ１と、鍔部１５の第２の側面１７と第１，第２の巻芯部１１，１２に巻回された巻線３０との間のＺ軸方向における距離Ｌ２とは略一致している。
【００３１】
図１に示されるように、コア１０にはカバー６０が取り付けられる。カバー６０は、液晶ポリマー樹脂等の非磁性体材料からなっている。カバー６０は、図９にも示されるように、蓋部６１、脚部６６，６７、及び側壁部６９，７０を有している。蓋部６１、脚部６６，６７、及び側壁部６９，７０は一体的に形成される。
【００３２】
蓋部６１は、一方の鍔部１５の第１の側面１６と他方の鍔部１５の第１の側面１６とにわたって、コア１０の上面を覆うように設けられる。蓋部６１の上面は平板形状を呈している。このように蓋部６１の上面を平坦とすることで、コモンモードチョークコイル１を自動装着機の吸着ノズルで吸着することが可能となる。蓋部６１の各角部の近傍には、凹部６５が４つ形成されている。これらの凹部６５は、例えば金型成形によりカバー６０を形成する場合に、金型からカバー６０を取り出しやすくするために設けられている。
【００３３】
図１及び図９に示されるように、蓋部６１からは、脚部６６，６７がＺ軸方向に沿って伸びている。脚部６６は、カバー６０をコア１０に取り付けた際に、各鍔部１５の第３の側面１８に沿うよう設けられる。また、脚部６７は、カバー６０をコア１０に取り付けた際に、各鍔部１５の第４の側面１９に沿うよう設けられる。すなわち、各鍔部１５は、脚部６６，６７よって挟まれる形となる。脚部６６は第３の側面１８と同等の幅を有しており、脚部６７は第４の側面１９と同等の幅を有している。
【００３４】
各脚部６６，６７の先端には、係止爪６８が一体的に形成されている。各係止爪６８は、カバー６０をコア１０に取り付ける場合に鍔部１５の係止受け部２７で係止されるよう、鍔部１５側に突設されている。また、係止爪６８は、図２（ｃ）に示されるように、カバー６０をコア１０に取り付けた場合に、第２の電極部分４２よりもＺ軸方向において上側に位置するよう設けられる。このような位置に係止爪６８を設けることで、コモンモードチョークコイル１を回路基板に実装した際に、かかる回路基板と係止爪６８とが当接することを抑制できる。
【００３５】
図１及び図９に示されるように、脚部６６と脚部６６との間を渡るように、側壁部６９が設けられている。また、脚部６７と脚部６７との間を渡るように、側壁部７０が設けられている。図２(ａ)，（ｂ）にも示されるように、カバー６０をコア１０に取り付けた場合に、側壁部６９の下縁７１は、第１の巻芯部１１に巻回された巻線３０の最外位置よりもＺ軸方向において蓋部６１側に位置する。同様に、側壁部７０の下縁７３は、第２の巻芯部１２に巻回された巻線３０の最外位置よりもＺ軸方向において蓋部６１側に位置する。側壁部６９，７０の下縁７１，７３をこのような位置とすることによって、側壁部６９，７０及び巻線３０を非接触とすることができる。また、Ｙ軸方向において、側壁部６９，７０を巻線３０の最外位置よりも内側に設けることが可能となる。
【００３６】
図９及び図１０（ａ）に示されるように、カバー６０の裏面において、蓋部６１と側壁部６９との接続部分、及び蓋部６１と側壁部７０との接続部分には、複数のリブ７５が形成されている。リブ７５は、コア１０と接触しないよう設けられている。このようなリブ７５は、カバー６０を補強する目的で設けられる。
【００３７】
図１及び図９に示されるように、蓋部６１の裏面には、一対の凸部分７６が形成されている。カバー６０をコア１０に取り付けた場合に、図９に示される凸部分７６の底面７７が各鍔部１５の第１の側面１６にそれぞれ当接するよう、凸部分７６は設けられる。また、その当接位置は、Ｙ軸方向における２つの第１の電極部分４１の間となる。すなわち、Ｘ軸方向において、凸部分７６の長さは各鍔部１５の長さよりも短くなっており、Ｙ軸方向において、凸部分７６の長さは、第１の電極部分４１間の長さよりも短くなっている。また、凸部分７６のＺ軸方向における長さは、図２（ｃ）に示されるように、カバー６０をコア１０に取り付けたときに、蓋部６１の裏面とコア１０に巻回された巻線３０の上面とが非接触となるような長さである。このような凸部分７６を設けることで、コア１０に巻回された巻線３０及び半田付けされた第１の電極部分４１と、蓋部６１との接触を防ぐことができる。
【００３８】
図９及び図１０に示されるように、凸部分７６の間には仕切り部７８が形成されている。仕切り部７８は、Ｘ軸方向に伸びる平坦な板形状を呈している。仕切り部７８は、コア１０にカバー６０を取り付けたときに、Ｙ軸方向において第１の巻芯部１１と第２の巻芯部１２との間に位置し、かつ、Ｘ軸方向においてその両端部が上述した各鍔部１５の溝部２４にそれぞれ入るように設けられている。仕切り部７８はＹ軸方向に対向する第１の側面７９と、Ｘ軸方向に対向する第２の側面８０と、を有している。第１の側面７９は、溝部２４の底面２５と対峙する。第２の側面８０は、第１，２の巻芯部１１，１２に巻回された巻線３０と対峙する。また、図１０（ｂ）に示されるように、Ｚ軸方向における仕切り部７８の長さは、脚部６６，６７よりも短くなっている。仕切り部７８をこのような長さとすることで、回路基板と仕切り部７８との当接を防ぐことができる。
【００３９】
このようなカバー６０をコア１０に被せると、各鍔部１５に設けられたガイド部２６により、カバー６０の係止爪６８が第２の側面１７側に案内される。同時に、各鍔部１５に設けられた溝部２４により、カバー６０の仕切り部７８が第２の側面１７側に案内される。係止爪６８は、第３，４の側面１８，１９に沿ってＺ軸下方向に進み、第３，４の側面１８，１９に形成された係止受け部２７に係止される。一方、仕切り部７８は、溝部２４に沿ってＺ軸下方向に進み、カバー６０に設けられた凸部分７６の底面７７が各鍔部１５の第１の側面１６に当接すると、仕切り部７８の両端を溝部２４にいれた状態で位置が固定される。係止爪６８が係止受け部２７に係止され、仕切り部７８の位置が固定されたときに、各カバー６０の脚部６６，６７は、第３，４の側面１８，１９側から各鍔部１５を挟持している。このようにして、コア１０へのカバー６０の取り付けが完了する。
【００４０】
以上のように、本実施形態においては、鍔部１５の第１の側面１６は、Ｚ軸方向において第１，２の巻芯部１１，１２の上面１３よりも低い所に位置している。したがって、第１，２の巻芯部１１，１２に巻回された巻線３０のＺ軸方向における位置と、巻線３０が半田付けされた第１の電極部分４１のＺ軸方向における位置とをほぼ一致させることが容易となる。この場合、第１の電極部分４１は周囲から突出しないため、コモンモードチョークコイル１自体の外形サイズを小型化することができる。また、突出した電極部分に巻線３０を接続する場合と比べて、巻線３０の引き出し部分を無理に屈曲させる必要が無くなるので、巻線３０の断線や損傷を防止することができる。更に、コア１０にカバー６０を取り付けた際には、カバー６０の蓋部６１をより安定した状態で水平に維持できるようになるため、コモンモードチョークコイル１を自動装着機の吸着ノズルでより確実に吸着することが可能となる。また、第１の側面１６は、第１，２の巻芯部１１，１２の上面１３と下面１４との間に位置するので、巻線３０の引き出し部分が短くて済む。よって、直流抵抗を低く抑えることができる。
【００４１】
また、本実施形態においては、第１，２の巻芯部１１，１２における上面１３及び下面１４を、巻芯部１１，１２の軸から外に向かう円弧状としているので、巻線３０を第１，２の巻芯部１１，１２の外周面に沿わせつつ巻きつけた場合には、巻線３０の位置ズレや緩みが生じにくくなる。よって、巻線３０を整然と巻くことができる。
【００４２】
また、本実施形態においては、カバー６０に脚部６６，６７が設けられており、この脚部６６，６７それぞれの先には各鍔部１５に係合される係止爪６８が設けられている。この係止爪６８が各鍔部１５に形成された係止受け部２７に引っ掛かるので、カバー６０をコア１０に固定することができるようになる。よって、絶縁樹脂を用いずともカバー６０とコア１０とを機械的に接続することができるため、絶縁樹脂を用いることによる悪影響を排除できる。また、カバー６０は蓋部６１と脚部６６，６７とでコア１０を覆うものであって、コア１０を収納するような形状を呈していない。よって、コア１０を収納するための側壁が不要となる。その結果、外部環境の変化による影響を受けにくく、小型化が可能となる。
【００４３】
また、本実施形態において、脚部６６，６７は各鍔部１５を挟むように設けられるので、コア１０に対してカバー６０をより確実に固定することができる。脚部６６は各鍔部１５の第３の側面１８に沿っており、脚部６７は第４の側面１９に沿っているので、Ｙ軸方向に対する鍔部１５のずれを脚部６６，６７で抑制することができる。
【００４４】
また、本実施形態において、カバー６０は一対の側壁部６９，７０を有している。側壁部６９，７０は、巻線３０の最外位置よりも蓋部６１側に設けられる。そのため、側壁部６９，７０を、Ｙ軸方向において巻線３０の最外位置よりも外側にはみ出さずに設けることが可能となる。よって、コモンモードチョークコイル１の小型化を実現しつつ、最外位置よりも蓋部６１側にある巻線３０を保護することができるようになる。更に、カバー６０の剛性を高めることもできる。
【００４５】
また、本実施形態において、カバー６０は板状の仕切り部７８を有している。仕切り部７８は、カバー６０をコア１０に取り付けた際に、第１の巻芯部１１と第２の巻芯部１２との間に位置するように設けられる。このような仕切り部７８を設けることによって、第１の巻芯部１１と第２の巻芯部１２とを非接触とすることができる。更に、仕切り部７８は、Ｘ軸方向において鍔部１５と鍔部１５とに間に位置するように設けられるので、Ｘ軸方向に対するカバー６０のずれを仕切り部７８の鍔部１５側の面で抑制することができる。
【００４６】
また、本実施形態において、鍔部１５には仕切り部７８の端が入る溝部２４が設けられている。このような溝部２４は、仕切り部７８をガイドする役目を果たすので、カバー６０をコア１０に取り付ける際に、第１，２の巻芯部１１，１２に巻回された巻線３０に仕切り部７８が当接するのを防ぐことができる。また、カバー６０を取り付けた後は、この溝部２４と仕切り部７８とがカバー６０を位置決めすることとなるので、カバー６０の位置ずれをより確実に抑制することができる。
【００４７】
以上、本発明の好適な実施形態について説明してきたが、本発明は必ずしもこれらの実施形態に限定されるものではない。
【００４８】
本実施形態においては、第２の側面１７と第３の側面１８との間、及び第２の側面１７と第４の側面１９との間に係止受け部２７を形成するとしたが、カバー６０の係止爪６８が鍔部１５に係止可能であるならば、係止受け部２７をあらためて形成しなくてもよい。
【００４９】
本実施形態においては、第１の電極部分４１と巻線３０との接続（継線）は、半田付けにより行われるとしたが、その他、熱圧着、溶接、あるいは、かしめ等により行われてもよい。
【図面の簡単な説明】
【００５０】
【図１】本実施形態に係るコモンモードチョークコイルを示す斜視図である。
【図２】本実施形態に係るコモンモードチョークコイルを示す側面図である。
【図３】本実施形態に係るコモンモードチョークコイルに含まれるコアを示す斜視図である。
【図４】本実施形態に係るコモンモードチョークコイルに含まれるコアを示す斜視図である。
【図５】本実施形態に係るコモンモードチョークコイルに含まれるコアを示す側面図である。
【図６】本実施形態に係るコモンモードチョークコイルに含まれる電極を示す側面図である。
【図７】本実施形態に係るコモンモードフィルタに含まれるコア、巻線、及び端子電極を示す斜視図である。
【図８】本実施形態に係るコモンモードフィルタに含まれるコア、巻線、及び端子電極を示す側面図である。
【図９】本実施形態に係るコモンモードフィルタに含まれるカバーを示す斜視図である。
【図１０】本実施形態に係るコモンモードフィルタに含まれるカバーを示す側面図である。
【符号の説明】
【００５１】
１…コモンモードチョークコイル、１０…コア、１１，１２…巻芯部、１５…鍔部、１６…第１の側面、１７…第２の側面、１８…第３の側面、１９…第４の側面、２４…溝部、３０…巻線、４０…端子電極、４１…第１の電極部分、４２…第２の電極部分、６０…カバー、６１…蓋部、６６，６７…脚部、６８…係止爪、６９，７０…側壁部、７８…仕切り部。
【図１】
2006173201.tif 000003
【図２】
2006173201.tif 000004
【図３】
2006173201.tif 000005
【図４】
2006173201.tif 000006
【図５】
2006173201.tif 000007
【図６】
2006173201.tif 000008
【図７】
2006173201.tif 000009
【図８】
2006173201.tif 000010
【図９】
2006173201.tif 000011
【図１０】
2006173201.tif 000012